(57)【要約】テスト対象ユニット（ＵＵＴ）の位相ノイズを測定するためのノイズ測定テストシステムが提供される。該ノイズ測定テストシステムは、可変増幅器、可変ローノイズ源、可変移相器、ミキサー、可変ローノイズ整合増幅器、アナログ／デジタル変換器、プロセッサ及びスペクトルアナライザを備えている。第１のローノイズ信号は、ローノイズ信号源によって生成され、テスト対象ユニット及び可変増幅器を介してミキサーに導かれる。第２のローノイズ信号も、ローノイズ源によって生成され、可変移相器を介してミキサーに導かれる。ミキサーは、受信信号を直交位相状態に置き、アナログ／デジタル変換器を介してプロセッサ及びスペクトルアナライザに導かれる測定テスト信号を出力する。プロセッサは、ミキサーによって受信された信号が直交位相状態にあることを保証するために、増幅器、ローノイズ源及び移相器を調節するためのコントロールリンクを備えている。また、プロセッサは、ミキサーとアナログ／デジタル変換部の間に適切なインピーダンスが存在することを保証するため、及び適切なノイズテストのために測定テスト信号が十分に増幅されていることを保証するために、ローノイズ整合増幅器を制御する。望ましい実施の形態において、プロセッサは、全テストプロトコルを通して、テストシステムの自動制御を提供する。さらなる望ましい実施の形態において、ノイズ測定テストシステムは、搬送波信号に応じて振幅及び周波数が変化する較正信号を提供する。
2004500545.tif 000002
【特許請求の範囲】
【請求項１】
ＵＵＴ入力部及びＵＵＴ出力部を有する測定対象ユニット（ＵＵＴ）から生成された信号の位相ノイズを測定するためのノイズ測定テストシステムであって、
測定対象ユニットから信号を受信するための増幅器入力部及びミキサーに結合するための増幅器出力部を有する可変増幅器と、
ローノイズ信号を生成し、該ローノイズ信号を第１の出力部から出力される第１のローノイズ搬送波信号及び第２の出力部から出力される第２のローノイズ信号に分離するための分離器を備え、前記第１の出力部はＵＵＴ入力部に結合するためのものであり、前記第２の出力部は可変移相器に結合するためのものである可変ローノイズ源と、
前記ローノイズ源の前記第２の出力部に結合されている移相器入力部及びミキサーに結合されている移相器出力部を備えており、前記ローノイズ源の前記第２出力部から受信した前記第２のローノイズ信号の位相を調節する可変移相器と、
第１、第２のミキサー入力部及びミキサー出力部を備えており、前記第１のミキサー入力部は前記増幅器出力部に結合され、前記第２のミキサー入力部は前記移相器出力部に結合され、且つ前記ミキサー出力部はプロセッサに結合されており、前記ミキサー出力部から測定テスト信号を出力するために、前記第１及び第２の入力部で受信した信号を同期させる同期位相検波部を備えているミキサーと、
前記ミキサー出力部に結合されたプロセッサ入力部を備えており、前記増幅器、前記ローノイズ源及び前記移相器の調節を自動的に制御するために、プロセッサを前記増幅器、前期ローノイズ源及び前記移相器と接続するためのコントロールリンクをさらに備えているプロセッサと
を備えていることを特徴とするノイズ測定テストシステム。
【請求項２】
前記ミキサーから出力される前記測定テスト信号の特徴を図示する画像を生成するために、前記プロセッサに接続されたディスプレイ手段をさらに備えていることを特徴とする請求項１記載の測定対象ユニット（ＵＵＴ）から生成された信号の位相ノイズを測定するためのノイズ測定テストシステム。
【請求項３】
前記ディスプレイ手段はスペクトルアナライザを備えていることを特徴とする請求項２記載の測定対象ユニット（ＵＵＴ）から生成された信号の位相ノイズを測定するためのノイズ測定テストシステム。
【請求項４】
前記ミキサー及び前記プロセッサの間に結合されたアナログ／デジタル変換器をさらに備えていることを特徴とする請求項１記載の測定対象ユニット（ＵＵＴ）から生成された信号の位相ノイズを測定するためのノイズ測定テストシステム。
【請求項５】
前記ミキサー及び前記プロセッサの間に結合されたローノイズ整合増幅器をさらに備えていることを特徴とする請求項１記載の測定対象ユニット（ＵＵＴ）から生成された信号の位相ノイズを測定するためのノイズ測定テストシステム。
【請求項６】
前記プロセッサは、前記ローノイズ整合増幅器のゲインを自動的に調節するために、前記ローノイズ整合増幅器に接続されたコントロールリンクをさらに備えていることを特徴とする請求項５記載の測定対象ユニット（ＵＵＴ）から生成された信号の位相ノイズを測定するためのノイズ測定テストシステム。
【請求項７】
前記プロセッサは、前記ローノイズ整合増幅器のインピーダンズを自動的に調節するために、前記ローノイズ整合増幅器に接続されたコントロールリンクをさらに備えていることを特徴とする請求項５記載の測定対象ユニット（ＵＵＴ）から生成された信号の位相ノイズを測定するためのノイズ測定テストシステム。
【請求項８】
前記プロセッサは、異なる予め選択されたオフセット周波数の前記ローノイズ信号を生成するために、前記ローノイズ源の動作を自動的に調節し、前記プロセッサはさらに、前記ミキサーによって受信された前記信号が直交位相状態にあることを保証するために、前記増幅器及び前記移相器を自動的に制御することを特徴とする請求項１記載の測定対象ユニット（ＵＵＴ）から生成された信号の位相ノイズを測定するためのノイズ測定テストシステム。
【請求項９】
可変増幅器、可変ローノイズ源、可変移相器、ミキサー、ビデオディスプレイ、及び該増幅器、該ローノイズ源及び該移相器を制御するためのコントロールリンクを備えているプロセッサを備えているテスト測定システムを使用してテスト対象ユニット（ＵＵＴ）の信号ノイズを測定する方法であって、
前記プロセッサからの命令に従って前記ローノイズ源によってローノイズ信号を生成するステップと、
前記ローノイズ信号を第１のローノイズ搬送波信号及び第２のローノイズ信号に分離するステップと、
前記第１のローノイズ搬送波信号を、前記テスト対象ユニット及び前記増幅器を介して前記ミキサーに導くステップと、
前記第２のローノイズ信号を、前記移相器を介して前記ミキサーに導くステップと、
前記ミキサーからの出力信号を前記プロセッサに導くステップと、
前記ミキサーによって受信された前記信号を直交位相状態に置くために、前記プロセッサからの命令に従って前記増幅器及び前記移相器を調節するステップとを含んでいることを特徴とする信号ノイズ測定方法。
【請求項１０】
異なる予め選択されたオフセット周波数における前記ローノイズ信号を生成するために、前記ローノイズ源の動作を自動的に調節するステップと、
前記ミキサーによって受信された前記信号が直交位相にあることを保証するために、前記増幅器及び前記移相器を自動的に制御するステップと
をさらに含んでいることを特徴とする請求項９記載のテスト対象ユニット（ＵＵＴ）の信号ノイズ測定方法。
【請求項１１】
搬送波信号を提供するステップと、
前記搬送波信号に対する様々な振幅レベルの複数の較正信号を提供するステップと
を含んでいることを特徴とするノイズ測定テストシステムの較正方法。
【請求項１２】
前記搬送波信号に対する様々なオフセット周波数の複数の較正信号を提供するステップをさらに含んでいることを特徴とする請求項１１記載のノイズ測定テストシステムの較正方法。
【請求項１３】
搬送波信号を提供するステップと、
前記搬送波信号に対する様々なオフセット周波数の複数の較正信号を提供するステップと
を含んでいることを特徴とするノイズ測定テストシステムの較正方法。
【発明の詳細な説明】
【０００１】
（発明の背景）
本発明は無線周波数（ＲＦ）信号に存在するノイズを測定する装置に関する。特に、本発明はＲＦ信号を増幅または修正する装置の位相ノイズ及び周波数ノイズを測定するためのノイズ測定テストシステムに関する。
【０００２】
増幅器は搬送波信号のゲインを増加させる装置である。今日、増幅器は多くの電子システムで重要な役割を果たしている。ゲイン、フラットなゲイン、圧縮点、相互変調などのパラメータは増幅器の性能を最適化するのに常に重要であった。さらに、増幅器の新しいパラメータがシステム全体の性能を維持するのに重要であった。残念なことに、搬送波信号を増幅することに加えて、増幅器は通常、熱ノイズ、ショットノイズ及びフリッカノイズを含むＲＦエネルギーを相互変調及び側波帯ノイズの形で元のＲＦ信号内に取り込んでしまう。このノイズは通常不規則であって追加及び残余位相ノイズ並びに周波数ノイズと呼ばれる。さらに、増幅器によってスプリアスノイズ信号が生成されることがある。これらは電源ライン及び／または振動変調に関連することがある「スパー」と呼ばれる特殊な成分として現れる離散的信号からなる。このノイズが可能な限り最小限にされることが重要である。周波数ノイズは位相ノイズの関数であるので、これらのノイズ成分を本明細書ではまとめて位相ノイズと呼ぶ。
【０００３】
ＲＦ信号源に位相ノイズが存在することは、符号分割多元接続（ＣＤＭＡ）及び時分割多元接続（ＴＤＭＡ）セルラ通信システムなどのアナログ及びデジタル通信に関連する適用分野を含むいくつかの適用分野で問題になっている。Ｅｕｒｏｐｅａｎ　Ｇｌｏｂａｌ　Ｓｙｓｔｅｍ　ｆｏｒ　Ｍｏｂｉｌｅ　ｃｏｍｍｕｎｉｃａｔｉｏｎｓ（ＧＳＭ）は、各コンポーネントが正確な限度の範囲内で動作する場合にのみ無線通信システムは全体として正しく動作することから、移動体及び基地局の送信機の動作要件を規定した詳細な標準を公表している。移動体の送信機と基地局とは呼の通話品質を維持するのに十分な電力と十分な忠実度を備えた出力ＲＦ信号を、他の信号に割り当てられた周波数チャネルと時間スロットに余分な電力を伝送することなく送信しなければならない。
【０００４】
特に通信装置の場合、増幅器によって生成される信号の振幅レベル以下に見えるスパー及び歪み成分であってもそれらを最小限にすることが重要である。通信システム内の多数の通信モジュールによって引き起こされた歪みまたはノイズが統計的に増加し、これによってシステム全体でのノイズのレベルを上げていることから、このことは重要である。従って、増幅器によって生成された信号のレベル以下であっても、増幅器の位相ノイズレベルを測定することが重要になっている。
【０００５】
位相ノイズは、レーダ装置、特に送信信号の戻りエコーによって生成される周波数のシフトを測定することによって、移動する目標物の速度を決定するドップラーレーダ装置で重要な問題である。戻りエコー信号は通常、測定のために増幅される。残念ながら、最大４０ｄＢの基底ノイズは搬送波周波数付近で観察されている。レーダ装置の増幅器によって引き起こされたそのような大きい背景ノイズは目標物捕捉感度の低下を招き、地上及び空中能動アレイレーダの正常な動作を阻害することがある。場合によっては、増幅器によって引き起こされた位相ノイズの混入が部分的または全体的にエコー信号を覆い隠すことが分かっている。
【０００６】
増幅器の位相ノイズを測定する最も直接的で最も安価な技法は、知られている周波数の信号を増幅器に入力してその出力をスペクトルアナライザに接続することである。ただし、周波数が搬送波信号に近い位相ノイズを測定するのは困難である。さらに、この技法を用いて、増幅器の出力信号の振幅より低い増幅器によって引き起こされたノイズを測定することは不可能である。特定のシステムによって生成されるノイズの量を最小限にするために、そのノイズを測定できることは極めて有利である。その結果、位相ノイズ測定が可能な装置が、依然として要求されている。
【０００７】
ＲＦ信号の位相ノイズ測定を行う２つの手法が有力である。第１のシステムは導波路遅延ライン弁別器を使用するノイズ測定テスト装置である。例えば、Ｎｅｗｂｅｒｇ他に付与された米国特許第５６０８３３１号は、導波路、同軸及び光ファイバ遅延ラインを用いたマイクロ波信号の位相ノイズ及び増幅ノイズを測定するためのテストシステムを開示している。遅延ライン弁別器は、遅延ラインを介して位相ノイズ評価のための基準信号を生成するために、テスト対象ユニット（ＵＵＴ）からのＲＦ入力を使用する。テスト対象ユニットから出力された信号は第１及び第２の経路に分割され、ミキサーで再び結合され、ミキサーはそれぞれの信号の位相を９０度ずらす（直交位相状態）。テストシステムが非常に小さいノイズしか発生しないかほとんどノイズを発生しない場合、ミキサーは掃引スペクトルアナライザによって測定され得る変調された位相ノイズを出力する。
【０００８】
位相ノイズ測定を実行する第２の従来の手法は、２つの位相ロックＲＦ源から発生するノイズの組み合わせを使用する。テスト対象ユニットに搬送波信号を提供する、通常は増幅器である、ローノイズ源が提供される。ローノイズ源は搬送波信号と周波数が同じ第２のローノイズ信号も出力し、この第２のローノイズ信号はミキサー内で増幅器から出力された搬送波信号と組み合わされる。ミキサーは移相器を用いて２つの信号を直交位相状態にする。テスト装置内に有意なノイズがないとすると、ミキサーの出力信号は掃引スペクトルアナライザによって測定され得る被測定装置のノイズを表す。
【０００９】
残念ながら、従来システムを用いた変調測定及び広帯域ノイズ測定は高価で、困難で時間がかかる。６００ｋＨｚ程度の広いオフセットで、これらの測定には従来高価であった広いダイナミックレンジが必要である。これらの理由から、広帯域ノイズ測定は通常サンプル単位で実行される。サンプル単位でノイズ測定を行う場合でも、この技法では一連の個別の測定を行う必要があり、テスト装置の頻繁な再調節が必要になるので、極めて時間がかかる。例えば、上記の遅延ラインの技法を用いて、広い帯域幅にわたって割り当てた異なる周波数で移相器、減衰器及び加算増幅器を調節しなければならない。同様に、上記の超ローノイズ源テストシステムでは、通常、広い帯域幅の周波数オフセットごとにローノイズ源、移相器、加算増幅器及びバッファを手動で調節しなければならない。これらの装置の手動の調節はテスト測定ごとに普通１０分以上かかる。さらに、テストの精度を保証するために、テスト対象ユニットのノイズ測定のエラーの標準偏差が減少することとなるように、サンプル測定回数を増加させて、多数のテストサンプルが採取されなければならない。即ち、テスト対象ユニットの正常な動作を確認するために十分な読み取りをしなければならない。
【００１０】
残念なことに、そのようなテストを実行することは高価であると同時に時間がかかる。さらに、従来技術のテストシステムは極めて高価で、通常１００，０００ドルから２００，０００ドルの間である。さらに、これらのシステムは少しづつ購入されなければならず、増幅器、ローノイズ源、信号減衰器、移相器、ミキサー及び掃引スペクトルアナライザを別々に購入することが必要で、それらは、所望のテストシステムを生成するように組み合わされなければならない。これらのコンポーネントの各々の相互接続が、位相ノイズがシステムに混入する余地を生じる。
【００１１】
従って、低レベル位相ノイズを正確に測定できるノイズ測定テストシステムが必要である。
【００１２】
テスト測定で高度な再現性を有するノイズ測定テストシステムが提供されたならば、有利であろう。この目的のために、ノイズ測定のたびに通常は調節しなければならない増幅器、移相器、減衰器、ローノイズ源などを含むテストシステムの異なるコンポーネントを手動で操作する必要性を無くすテストシステムが提供されたならば、極めて有利であろう。
【００１３】
また、軽量で小型の単一モジュールコンポーネントとしてノイズ測定テストシステムを提供できれば極めて有利であろう。
（発明の概要）
要約すると、本発明に関して、私はテスト対象ユニットの位相ノイズを自動的にテストする改良された装置及び方法を提供する。本発明は、搬送波信号のノイズレベル以下であっても、特に、増幅器の位相ノイズをテストするのに適していると考えられている。このノイズ測定システムは、調節可能なローノイズ信号を発生する可変ローノイズ源を含む。該可変ローノイズ源は、同一のローノイズ信号を出力する２個の出力を含むか、または単一のローノイズ信号を２つの同一のローノイズ源信号に分離する分離器に結合される。第１のローノイズはテスト対象ユニットに導かれる。テスト対象ユニットは第１のローノイズ搬送波信号を受信する入力部及び搬送波信号を出力する出力部を備えている。そして、このテスト対象ユニットの搬送波信号は可変増幅器に通された後、ミキサーによって受信される。
【００１４】
可変ローノイズ源から出力された第２のローノイズ信号は、可変増幅器を通過するテスト対象ユニットの信号と共に位相が９０度ずれる（直交位相状態になる）ように、第２のローノイズ信号の位相を調節する可変移相器に伝達される。第２のローノイズ信号は同位相に変換された後、第２の入力ポートのミキサーによって受信され、そこでテスト対象ユニットの信号と組み合わされてミキサーの出力ポートから出力される。可変増幅器及び可変移相器は共に、ＵＵＴ信号及び第２ノイズ信号が直交位相状態及び振幅が一致しているように調節され、その結果、システムまたはテスト対象ユニットにノイズがなくなれば、直流（ＤＣ）がミキサーの出力ポートから出力される。しかし、ノイズがテスト対象ユニットにあり、且つきわめて小さなノイズがテストシステムにあると仮定した場合、ミキサーはテスト対象ユニットのノイズを表す信号を出力する。次に、以下「測定テスト信号」と呼ぶミキサーから出力されたこの信号は、可変ローノイズ整合増幅器に送られる。可変ローノイズ整合増幅器は、測定テスト信号を増幅すると共にバッファとして働く。可変ローノイズ整合増幅器は、テスト対象ユニットのノイズ測定に干渉しないように、きわめて低いノイズを加えるような構成になっており、テスト対象ユニットの任意のノイズを測定する能力を高めるために測定テスト信号の増幅を行う。
【００１５】
測定テスト信号はローノイズ整合増幅器を通過した後、アナログ／デジタル変換器（ＡＤＣ）によって受信され、アナログ測定テスト信号はデジタルデータに変換される。続いて、測定テスト信号をスペクトルアナライザに送る前に評価するために、このデジタルデータはプロセッサに伝達される。このスペクトルアナライザは、標準的な窓型で高速の、あるいは離散フーリエ変換を使用し、測定テスト信号のノイズスペクトルを正確に測定する。このようなフーリエ変換は当業者には既知であり、ここでは詳細に解説しない。
【００１６】
前記プロセッサは複数のコントロールラインを介して、可変増幅器、可変ローノイズ源、可変移相器、及び可変ローノイズ整合増幅器に接続されている。最初の較正を行い、且つテスト対象ユニットの位相ノイズを測定するシステムの感度を最適に維持するために、このプロセッサはレベルを設定し、増幅器、ローノイズ源、移相器、及び整合増幅器を調節する。通常は手動で行われる可変ローノイズ源、増幅器、移相器及び整合増幅器を調節するために、プロセッサはこれらの自動化された制御機能を実行する。例えば、テスト対象ユニットのノイズを測定するには、搬送波信号を生成するローノイズ源のオフセット周波数を変えて、テスト対象ユニットのテスト測定を数回行う必要がある。従来技術のシステムでは最初にローノイズ源を手動で調節する必要がある。次に、ミキサーが受信する信号を確実に直交位相状態にするには、移相器が手動で調節される必要がある。また、ミキサーが受信する信号を確実に同じ振幅にするには、増幅器が調節される必要がある。さらに、ミキサーとアナログ／デジタル変換器との間のインピーダンスが確実に適切になるようにするには、整合増幅器が調節される必要がある。通常、このような手動による調節には１０分以上かかる。本発明のプロセッサは、これらのコンポーネントの自動調節を、通常１分未満で行うことができる。さらに、本発明のプロセッサは、すべてのテストプログラムまたはプロトコルの生成及び自動動作を行う。テスト対象ユニットのテスト測定をローノイズ源の異なるオフセット周波数において多数回行うために、テスト対象ユニットは所定の帯域にわたって、テストシステムを予めプログラムすることによってテストされる。さらに、テスト対象ユニットのノイズレベルを確実に許容レベルにするために、このプロセッサは、十分な回数のテストサンプルを各オフセット周波数で行えるように、予めプログラムされ得る。
【００１７】
測定テストシステムを制御するために、信号プロセッサは、システムを較正し、且つ増幅器、ローノイズ源及び移相器が正しいレベルにセットされることを保証するために、ＡＤＣから出力されたデジタル化された出力を使用する。特に、ＡＤＣからの出力によって、プロセッサはローノイズ源が搬送波信号を正確な周波数で供給しているかどうかを判定することが可能になる。ＡＤＣからの出力を評価することによって、プロセッサは移相器がミキサーによって受信された信号を適切に直交位相状態に維持していることを判定することができる。同じく、可変増幅器がミキサーが受信するテスト対象ユニットの信号の増幅レベルを適切に維持できない失敗は、プロセッサにより修正され得る。また、これらのコンポーネントのいずれかが最適に機能しない場合、このプロセッサは、測定テスト信号によるテスト対象ユニットのノイズテストを確実に適切に実行できるように必要な調節を行う。
【００１８】
好ましい実施形態では、本発明の可変ローノイズ源は可変搬送周波数と可変較正信号の両方を出力する。この較正信号はきわめて低レベルのノイズ側波帯であり、搬送波信号の強度に関連して正確に知られている強度を有し、その強度は、通常は搬送波信号の振幅以下の約６０ｄＢである。較正信号はテスト測定システムの較正を可能にする。この較正信号はミキサーの直交位相によって除去されることがないため、スペクトルアナライザに現れる。この較正信号は既知の強度を有しているため、表示された位相ノイズの高さは表示された較正信号の高さと比較され得る。テスト対象ユニットにより生じた任意のノイズは、テスト対象ユニットの位相ノイズを定量的に測定するために較正信号と比較される。
【００１９】
さらに、本発明は、較正信号の強度を調節することによって、種々のレベルで定量的にシステムを較正することを可能にする。特に、測定テストシステムが較正される場合、較正信号は連続的に異なる強度で供給されることが好ましい。例えば、この較正信号は、最初は、搬送波信号に対して−１０ｄＢで供給される。その後、この較正信号は搬送波信号に対して、−２０ｄＢ、−３０ｄＢ、−４０ｄＢ、−５０ｄＢ及びー６０ｄＢで供給される。次に、プロセッサは、テスト対象ユニットで発生する実際の位相ノイズを測定するときの測定精度を高めるために、これらの較正信号の各々をスペクトルアナライザに図形として表示する。
【００２０】
別の好ましい実施形態では、テストシステムの較正手順中に周波数にオフセットされる多数の較正信号を生成するために、プロセッサは可変ローノイズ源を制御する。すなわち、本発明は、システムが較正される毎に、システムの周波数及び振幅の較正を提供する。例えば、搬送波信号に対して−１０ｄＢから−６０ｄＢの較正信号を生成することによって、システムを較正することに加え、較正中にローノイズ源は、搬送波信号に関連する周波数にオフセットされる種々の付加的な較正信号を生成する。次に、テスト対象ユニットによって生じるスパーまたは歪みの実際の周波数を測定するときの測定精度を高めるために、このプロセッサはこれらの較正レベルの各々をスペクトルアナライザに図形として表示する。この情報は、テスト対象ユニットによって生成されるノイズの実際の原因を解明するときにも有用である。
【００２１】
従って、本発明の目的は、テスト対象ユニットのＲＦノイズを測定する改良された測定テストシステムを提供することである。
【００２２】
本発明のさらなる目的は、通常は１分未満で達成される、システムのコンポーネントの自動調節を可能にする、自動ノイズ測定テストシステムを提供することである。さらに、本発明の目的は、所望の要件に対して完全に自動化されたテストプログラムを作成し、且つ実行することのできる自動ノイズ測定テストシステムを提供することである。
【００２３】
本発明のさらにまた別の目的は、システムを較正する毎に、搬送波信号に関して種々のデシベル値で、且つ搬送波信号に関して種々のオフセット周波数でシステムの較正を行うことができる自動ノイズ測定テストシステムを提供することである。
【００２４】
本発明のこれら及びさらなる利点は、当業者によって、添付図面を参照して以下の詳細な説明を読めば十分に理解されるであろう。
（発明の詳細な説明）
本発明は種々の実施形態により理解されるが、ここで示される本発明の好ましい実施形態は、本発明の開示は本発明の一例として考慮され、且つ本発明が図示した特定の実施形態に限定されるものではないという了解の下で、図面に示され、以下に説明される。
【００２５】
図１を参照すると、本発明は、テスト対象ユニット３によって搬送波信号３９に加えられたノイズを測定する改良されたノイズ測定テストシステム１を提供する。テスト対象ユニット３は、ノイズ測定システムから出力ポート７を介して伝達されるローノイズ搬送波信号３９を受信する入力４を含んでいる。テスト対象ユニット３は、搬送波信号３９の修正、増幅または調節を行い、出力ポート５からテスト対象ユニットの信号３５を出力する。テスト対象ユニットの信号３５は測定テストシステムの入力ポート６によって受信され、そこで入力ポート１７及び出力ポート１９を有する可変増幅器１５を介して導かれる。可変増幅器１５を通過した後、テスト対象ユニットの信号３５は第１のミキサー入力２３を介してミキサー２１によって受信される。
【００２６】
本発明のノイズ測定テストシステム１は、テスト対象ユニットに供給されるローノイズ搬送波信号３９を生成する可変ローノイズ源９をさらに含む。また、ローノイズ源９は搬送波信号３９と同一の周波数である第２のローノイズ信号３７を供給し、この信号は出力ポート１３を介して供給される。次に、第２のローノイズ信号３７は入力ポート３１を介して可変移相器２９に送られ、そこで位相が調節され、続いて移相器の出力ポート３３を介して出力される。可変移相器２９によって位相が調節された後、第２のローノイズ信号３７は入力ポート２５を介してミキサー２１へ導かれる。
【００２７】
作動時には、ミキサー２１によって受信されるときに第２のローノイズ信号３７がテスト対象ユニットの信号３５と共に位相が９０度ずれる（直交位相状態になる）ように、可変移相器２９は第２のローノイズ信号３７の位相を調節する。さらに、テスト対象ユニットの信号３５が増幅され、且つミキサー２１によって受信されるときにテスト対象ユニットの信号３５は第２のローノイズ信号３７の振幅と同じ振幅を有するように、可変増幅器１５を調節することも可能である。信号が直交位相状態になるように、ミキサー２１はテスト対象ユニットの信号３５と第２のローノイズ信号３７を組み合わせる。可変増幅器１５、可変ローノイズ源９、可変移相器２９及びミキサー２１において、きわめて小さいノイズが存在する場合には、測定テスト信号と呼ばれる出力信号は、テスト対象ユニット３のノイズを表している。次に、この測定テスト信号４１は、ローノイズ整合増幅器４３の入力４５に入力され、出力４７から出力される。テスト信号にノイズがあっても簡単に測定できるように、ローノイズ整合増幅器４３は測定テスト信号４１の強度を増幅する。さらに、ミキサー２１とローノイズ整合増幅器４３を通過した後に測定テスト信号４１を受信するアナログ／デジタル変換器４９との間のインピーダンスが確実に最適になるように、ローノイズ整合増幅器４３はバッファとして機能する。
【００２８】
アナログ／デジタル変換器４９は、測定テスト信号４１を受信する入力ポート５１を有する。アナログ／デジタル変換器４９によって測定テスト信号４１が受信された後、この信号は先入れ先出し方式でデジタル形式に変換され、続いて、出力ポート５３を介して出力される。ここでデジタル形式に変換された測定テスト信号４１は、入力ポート５７を介してプロセッサ５５に送られる。プロセッサ５５は測定テスト信号４１の測定操作を何回か行い、通常は変化していない信号を、出力ポート５９を介して入力ポート６３を有するスペクトルアナライザ６１に出力する。スペクトルアナライザ６１は測定テスト信号４１を画像化するビデオディスプレイを備えている。
【００２９】
また、本発明のノイズ測定テストシステム１は、可変移相器２９、可変増幅器１５、可変ローノイズ源９及び可変ローノイズ整合増幅器４３の各々に、プロセッサ５５を接続する複数のコントロールライン６５、６７、６９及び７１を含んでいる。プロセッサ５５は、テストシステムオペレータによって予め決定されたテストレベルを設定し、システムの最初の較正を行い、且つテスト対象ユニット３の位相ノイズを測定するシステムの感度を最適に維持するために、増幅器１５、ローノイズ源９、移相器２９及びローノイズ整合増幅器４３を調節する。例えば、テスト対象ユニット３の位相ノイズを測定するためには、通常は、ローノイズ源が種々のオフセット周波数で搬送波信号を生成した状態で、テスト対象ユニット３の位相ノイズの測定を何回か行う必要がある。
【００３０】
テスト対象ユニット３のテストプロトコルは、ノイズ測定テストシステム１がテスト対象ユニット３の発生する位相ノイズを確実に正確に計量し、且つノイズ測定テストシステム１が過大な量のノイズをテストのセットアップ自体に導入しなことを保証するために、システム全体の較正を最初に必要とする。さらに、図２及び図３を参照すると、好ましい実施形態において、プロセッサ５５はローノイズ源９を制御して可変搬送波信号７５と可変較正信号７７の両方を生成する。較正信号７７は、搬送波信号７５に関して正確に知られている周波数及び強度を有するきわめて低いノイズの側波帯である。典型的な較正信号７７は、搬送波信号自身の強度より小さい約６０ｄＢの強度を有することも可能である。図４に示すように、較正信号７７は既知の強度を有するので、テスト対象ユニット３の位相ノイズを定量的に測定するために、測定テスト信号７９の任意の位相ノイズの表示された高さは、較正信号７７の表示された高さと比較され得る。
【００３１】
別の好ましい実施形態においては、較正過程では強度レベルの異なる種々の較正信号７７を使用する。例えば、図２（ａ）〜２（ｆ）を参照すると、本発明のノイズ測定テストシステム１の較正を向上させるために、較正信号７７は種々の強度で順に供給される。例えば、図２（ａ）に示すように、較正信号７７は、最初は−６０ｄＢで供給される。図２（ｂ）〜２（ｆ）を参照すると、次に較正信号７７は、それぞれ−５０ｄＢ、−４０ｄＢ、−３０ｄＢ、−２０ｄＢ及び−１０ｄＢで順に供給される。図４に示すように、オペレータがより正確にビデオディスプレイに表示されたスパーまたはノイズの摂動を測定できるように、次にこれらの値はスペクトルアナライザ６１に図形として表示される。
【００３２】
さらに別の実施形態においていは、本発明のノイズ測定テストシステム１の最初の較正を行うときに周波数にオフセットされる複数の較正信号７７を生成するために、プロセッサ５５は可変ローノイズ源９を制御する。図３（ａ）〜３（ｆ）を参照すると、３つの較正信号７７は搬送波信号７５よりも低い周波数で供給されるが、３つの較正信号７７は搬送波信号７５よりも高い周波数で供給される。一旦、較正信号７７の強度が検知されると、次に、テスト対象ユニット３によって生成されたスパーまたは歪みの実際の周波数を測定するときの測定精度を高めるために、これらの値はスペクトルアナライザ６１に図形として表示される。プロセッサ５５は、オペレータが可変増幅器１５、ローノイズ源９、移相器２９またはローノイズ整合増幅器４３を手動で調節しなくとも、テストシステムの較正を自動的に行う。
【００３３】
通常のノイズ測定システムは、可変増幅器１５、ローノイズ源９、移相器２９またはローノイズ整合増幅器４３の手動での調節を必要とする。再び図１を参照すると、本発明のノイズ測定テストシステム１は、これらコンポーネントの自動制御を提供する。一旦、較正が行われると、ノイズ測定テストシステム１は、テストオペレータがキーボード等を使用して行う命令に基づいてテストプロトコルを開始する。通常、オペレータからの命令は、テスト対象ユニット３がテストされる周波数帯域幅、テストに必要なオフセット周波数の数、オフセット周波数の間隔及び各オフセット周波数で行われなければならないサンプル数を含む。このテストプログラムに従って、プロセッサ５５はコントロールリンク６９を介してローノイズ源９を自動的に調節して、所定の周波数で搬送波信号３９を生成する。前述のように、搬送波信号３９はテスト対象ユニット３を介して導かれ、そこでは増幅器１５を介してミキサー２１に通されるＵＵＴ信号３５が生成される。一方では、ローノイズ源９は、ミキサー２１に到達する前に移相器２９を通過する第２のローノイズ信号３７を生成する。このミキサーはアナログ／デジタル変換器４９を介してプロセッサ５５に通される測定テスト信号４１を生成する。ＵＵＴ信号３５の振幅が入力ポート２５を介してミキサー２１により受信されるような第２のローノイズ信号３７の振幅と整合するように、プロセッサ５５はコントロールリンク６７を介して増幅器１５を自動的に調節する。また、ミキサー２１で信号を直交位相状態にしたままテスト対象ユニット信号３５の位相が９０度ずれるように第２のローノイズ信号３７を調節するために、プロセッサ５５は、コントロールリンク６５を介して移相器２９を自動的に調節する。このような調節は、測定信号４１がプロセッサ５５に到達するときの測定テスト信号４１の評価に基づいている。ローノイズ源９、増幅器１５または移相器２９が正確に調節されない場合、プロセッサ５５はコントロールリンクを介して移相器２９、増幅器１５またはローノイズ源９に命令を自動的に送り、測定テストシステムが確実に最適なレベルで作動するように必要な調節を行う。これらの調節は、何らオペレータの操作無く行なわれる。ミキサー２１を通過後、測定テスト信号４１はローノイズ整合増幅器４３及びアナログ／デジタル変換器４９を介してプロセッサ５５に導かれる。ミキサー２１とアナログ／デジタル変換器４９との間のインピーダンスが不適切な場合、確実に適切なインピーダンスになるように、プロセッサ５５はローノイズ整合増幅器４３を自動的に調節する。同じく、ノイズ測定を適切に行うには測定テスト信号４１の信号強度が不十分な場合、プロセッサ５５は、コントロールリンク７１を介してローノイズ整合増幅器４３に、ローノイズ整合増幅器４３に測定テスト信号４１のゲインを増幅させるように命令するコマンドを送る。このような方法で、本発明のノイズ測定テストシステムは完全に自動化されたテストシステムを提供する。
【００３４】
プロセッサ５５に到達後、測定テスト信号４１はスペクトルアナライザ６１まで導かれる。図４に示すように、ここではアナログ／デジタル変換器４９によりデジタル形式に変換された測定テスト信号４１は、測定テスト信号４１のノイズスペクトルを正確に測定する離散フーリエ変換を用いてスペクトルアナライザ６１によって分析される。前述のように、システムまたはテスト対象ユニット３にノイズがない場合、測定テスト信号４１はＤＣ信号またはゼロ信号を出力する。しかし、テスト対象ユニットによってノイズが発生した場合、測定テスト信号４１は、交流（ＡＣ）として、テスト対象ユニットにより発生されたノイズを表すジッタと共にスペクトルアナライザ６１に表示される。当業者には理解されるように、１ｋＨｚの位相ノイズがある場合、次式に従って掃引アナライザにスパイクが１ｋＨｚで表示される。
ΔＶ（ｔ）＝Ｖｐｅａｋ ｓｉｎΔΦ（ｔ）
これはミキサー出力２７とテスト対象ユニット３の位相変動との間に線形関係があるためである。これは、次式によって表わされる。
ＫΦΔΦ＝ΔＶ
ミキサー２１が位相検波器として用いられる場合、ミキサーの電圧出力はテスト対象ユニット３の位相変動に正比例する。例えば、１ｋＨｚの位相変動は、以下の式に従って比例した振幅周波数として表示される。
ΔＶ（ｆｍ）＝ＫΦΔΦ（ｆｍ）
ΔＶ（ｆｍ）＝１．４１４ＶｒｍｓΔΦ（ｆｍ）
同様に、ミキサー２１の出力電圧は、スペクトルアナライアザ６１で測定された周波数の関数として、以下の式に従って入力信号の位相偏移に正比例する。
ΔＶ（ｔ）＝±ｐｅａｋΔΦ（ｔ）
ΔＶ（ｆｍ）＝ＫΦΔΦｆｍ）
ΔＶ（ｆｍ）＝（測定された位相検波器の定数）ΔΦ（ｆｍ）
ΔΦｒｍｓ（ｆｍ）＝（１／ＫΦ）ΔＶｒｍｓ（ｆｍ）
単純に、位相変動が大きくなるほど振幅は大きくなり、そのノイズ信号はスペクトルアナライザに表示される。さらに、ノイズ測定テストシステムの分解能帯域幅を変えることによって、ノイズに関連する摂動から実際のスパーを見分けることができる。分解能帯域幅が変化しても、スパーは振幅が一定のままである。一方、ノイズに関連する摂動は、分解能帯域幅が変化するにつれて振幅が変化しやすい。
【００３５】
一旦、前述したテスト対象ユニット３の評価が特定の周波数で完了すると、例えば、テスト対象ユニットにサンプル信号を所定の回数通過させることによって、プロセッサ５５はローノイズ源９の周波数を異なるオフセットレベルに自動的に調節、すなわちステップさせる。また、ミキサー２１が受信する信号が直交位相状態に維持されるように、増幅器１５及び移相器２９はプロセッサ５５によって自動的に調節され、ミキサー２１とアナログ／デジタル変換器４９との間に十分なゲイン及び適切なインピーダンスが確実に得られるように、ローノイズ整合増幅器４３はプロセッサ５５によって自動的に調節される。次に、測定テスト信号４１のさらなる評価が、新しいオフセット周波数でスペクトルアナライザ６１によって実行される。望ましくは、スパーまたはノイズに関連する摂動が特定のオフセット周波数または周波数で現われる可能性があるため、対象となる帯域にわたって非常に近接した周波数でテストが行われる。
【００３６】
テスト対象ユニット３が増幅器１５である場合、テスト対象ユニット３は特定のゲインレベルでスパーまたはノイズの摂動を生成する可能性がある。従って、好ましい実施形態では、ノイズ測定テスト装置１はプロセッサ５５をテスト対象ユニット３に接続する付加的なコントロールリンク７３を含む。また、テストプログラム中、テスト対象ユニット３はテストシステムのオペレータの指令に従って、プロセッサ５５によって種々のゲインレベルに自動的に調節される。
【００３７】
ノイズ測定テストシステムのコンポーネントは、当業者に知られている多数の企業から購入され得るが、本発明に適用するには、低ノイズ特性のために、カリフォルニア州ナショナルシティのマイクロウェーブソリューション社による増幅器及びローノイズ整合増幅器が、特に適していると考えられる。同様に、本発明に適用するには、ニュージャージー州ウィッパーニーのＫＤＩ社による移相器、及びカリフォルニア州ミルピタスのワトキンス−ジョンソン社によるミキサーが、適していると考えられる。
【００３８】
本発明を実施するために、ノイズ測定テストシステムのプロセッサを制御する条件を満たしたソフトウェアソースコードを以下に示す。このソースコードは、Ｃ＋＋のコンパイルされていないフォーマットで提供されており、測定テスト信号の特性を評価することを可能とする。このソースコードはビデオディスプレイに測定テスト信号を図形表示することはないが、当業者であれば実験を無効にすることなく解決され得る。
【００３９】
2004500545.tif 000003
2004500545.tif 000004
2004500545.tif 000005
2004500545.tif 000006
2004500545.tif 000007
2004500545.tif 000008
2004500545.tif 000009
2004500545.tif 000010
2004500545.tif 000011
2004500545.tif 000012
2004500545.tif 000013
2004500545.tif 000014
2004500545.tif 000015
2004500545.tif 000016
2004500545.tif 000017
2004500545.tif 000018
2004500545.tif 000019
2004500545.tif 000020
2004500545.tif 000021
2004500545.tif 000022
2004500545.tif 000023
2004500545.tif 000024
2004500545.tif 000025
2004500545.tif 000026
2004500545.tif 000027
2004500545.tif 000028
2004500545.tif 000029
2004500545.tif 000030
2004500545.tif 000031
2004500545.tif 000032
2004500545.tif 000033
2004500545.tif 000034
2004500545.tif 000035
2004500545.tif 000036
2004500545.tif 000037
2004500545.tif 000038
2004500545.tif 000039
2004500545.tif 000040
2004500545.tif 000041
2004500545.tif 000042
【００４０】
本発明は、当業者が理解し且つ実行できる用語で説明され、その現在の望ましい実施形態は定義及び特定された。
【図面の簡単な説明】
【図１】本発明の自動ノイズ測定テストシステムを示す図である。
【図２】図２（ａ）〜２（ｆ）は、本発明のローノイズ信号源によって生成された搬送波信号及び較正信号を示しており、前記較正信号が搬送波信号に対して異なったデシベルレベルに調節されている、スペクトルアナライザに表示されるであろうグラフ的描画である。
【図３】図３（ａ）〜（ｆ）は、幾つかの搬送波信号に対するオフセット周波数において、較正信号がシステムの較正のために調節されている、本発明のローノイズ信号源によって生成された搬送波信号及び較正信号を示している、スペクトルアナライザに表示されるであろうグラフ的描画である。
【図４】本発明のローノイズ源によって生成された較正信号と比較されるテスト対象ユニットのテスト信号の測定を示している、スペクトルアナライザに表示されるであろうグラフ的描画である。
【図１】
2004500545.tif 000043
【図２】
2004500545.tif 000044
【図３】
2004500545.tif 000045
【図４】
2004500545.tif 000046
【国際公開パンフレット】
2004500545.tif 000047
2004500545.tif 000048
2004500545.tif 000049
2004500545.tif 000050
2004500545.tif 000051
2004500545.tif 000052
2004500545.tif 000053
2004500545.tif 000054
2004500545.tif 000055
2004500545.tif 000056
2004500545.tif 000057
2004500545.tif 000058
2004500545.tif 000059
2004500545.tif 000060
2004500545.tif 000061
2004500545.tif 000062
2004500545.tif 000063
2004500545.tif 000064
2004500545.tif 000065
2004500545.tif 000066
2004500545.tif 000067
2004500545.tif 000068
2004500545.tif 000069
2004500545.tif 000070
2004500545.tif 000071
2004500545.tif 000072
2004500545.tif 000073
2004500545.tif 000074
2004500545.tif 000075
2004500545.tif 000076
2004500545.tif 000077
2004500545.tif 000078
2004500545.tif 000079
2004500545.tif 000080
2004500545.tif 000081
2004500545.tif 000082
2004500545.tif 000083
2004500545.tif 000084
2004500545.tif 000085
2004500545.tif 000086
2004500545.tif 000087
2004500545.tif 000088
2004500545.tif 000089
2004500545.tif 000090
2004500545.tif 000091
2004500545.tif 000092
2004500545.tif 000093
2004500545.tif 000094
2004500545.tif 000095
2004500545.tif 000096
2004500545.tif 000097
2004500545.tif 000098
2004500545.tif 000099
2004500545.tif 000100
2004500545.tif 000101
2004500545.tif 000102
2004500545.tif 000103
2004500545.tif 000104
2004500545.tif 000105
2004500545.tif 000106
2004500545.tif 000107
2004500545.tif 000108
2004500545.tif 000109
2004500545.tif 000110
2004500545.tif 000111
2004500545.tif 000112
2004500545.tif 000113
2004500545.tif 000114
2004500545.tif 000115
2004500545.tif 000116
2004500545.tif 000117
2004500545.tif 000118
2004500545.tif 000119
2004500545.tif 000120
2004500545.tif 000121
2004500545.tif 000122
2004500545.tif 000123
2004500545.tif 000124
2004500545.tif 000125
【国際公開パンフレット（コレクトバージョン）】
2004500545.tif 000126
【国際調査報告】
2004500545.tif 000127
2004500545.tif 000128
2004500545.tif 000129
2004500545.tif 000130
2004500545.tif 000131